(57)【要約】【課題】捺印動作に連動して保護蓋を開放操作できる印判において、印面カバーの揺動開閉領域の上下寸法を減少し、その分だけ印判の上下寸法を小さく、しかも開放状態における保護蓋の印判外面への突出量を抑止できるようにする。【解決手段】左右一対の揺動アーム４１と、両揺動アーム４１の下端どうしを繋ぐ印面カバー４２とで、保護蓋６を逆Ｔ字状に形成する。揺動アーム４１の上部に設けた揺動軸４４の中心Ｐ１を、ベース筒１の前後中心Ｐ２の近傍に配置して、印面カバー４２の先端の開閉軌跡に含まれる縦方向成分Ｈをできるだけ小さくする。これにより、印判の上下寸法を減少し、同時に開放状態における保護蓋６の印判外面への突出量を抑止する。【選択図】        図１
2005007754.tif 000002
【特許請求の範囲】
【請求項１】
上下面が開口するベース筒１と、ベース筒１で上下スライド自在に案内支持される外筒２と、外筒２に装着されて、外筒２に同行してベース筒１内を上下スライドする内筒３と、内筒３に内嵌固定される印字ユニット４と、ベース筒１と外筒２との間に介装されて、外筒２を上方の待機位置へ押し上げ付勢するばね５と、印字ユニット４の印面を保護する保護蓋６とを備えており、保護蓋６は、ベース筒１の周壁左右で前後揺動可能に軸支される左右一対の揺動アーム４１と、両揺動アーム４１の下端どうしを繋ぐ印面カバー４２とで逆Ｔ字状に形成されており、
保護蓋６は印面の下面を覆い隠す閉じ姿勢と、ベース筒１の前面外方へ揺動変位して、印字ユニット４の下降領域から退避する開放姿勢との間で開閉揺動可能にベース筒１で支持されており、
揺動アーム４１の上部に設けた揺動軸４４の中心Ｐ１が、ベース筒１の前後中心Ｐ２の近傍に配置してあることを特徴とする印判。
【請求項２】
内筒３と揺動軸４４の軸端面との間に、外筒２の昇降動作に連動して保護蓋６を揺動開閉操作する蓋開閉機構が設けられており、
蓋開閉機構が、内筒３の周面に設けられる上下に長いリブ状のカム突起３０と、揺動軸４４の軸端面に形成されて、前記カム突起３０で回転操作される受動ピース５５とを含み、
内筒３の下降動作に連動して、受動ピース５５がカム突起３０で回動操作されて、保護蓋６を閉じ姿勢から開放姿勢へ開放操作できる請求項１記載の印判。
【請求項３】
カム突起３０の下端と対向する内筒３の周面に、受動ピース５５に接当して保護蓋６を強制的に閉じ操作するカム片３１が設けてある請求項１または２記載の印判。
【請求項４】
ベース筒１の下部周面の前半部に、保護蓋６の印面カバー４２が出入りするカバー開口１１が形成されており、
印面カバー４２の周面前半部に蓋壁４３が設けられており、
保護蓋６を閉じた状態において、カバー開口１１が蓋壁４３で塞がれる請求項１から３のいずれかに記載の印判。
【発明の詳細な説明】
【０００１】
【発明の属する技術分野】
本発明は、捺印動作に連動して保護蓋を開放操作できる印判に関する。保護蓋は印面の下面側を覆い隠して、印面に含浸されたインクが他物に付着するのを防ぎ、あるいは印面に塵埃などが付着するのを防止するために設けてある。
【０００２】
【従来の技術】
捺印動作に連動して保護蓋を開放操作する形態の印判は公知である（特許文献１参照）。そこでは、図１１に示すように、内筒７５、外筒７６、両筒７５・７６間に介装される復帰ばね７７、外筒７６に支持筒７８を介して装着される印字ユニット７９、印字ユニット７９の印面を保護する保護蓋８０、および内筒７５と外筒７６の相対スライドを規制するロック筒（図示していない）等で印判を構成している。
【０００３】
保護蓋８０は、上下方向に長い揺動アーム８２と、揺動アーム８２の下端から直交状に突出するカバー８３とで側面視がＬ字状に形成してあり、揺動アーム８２の上端に設けた軸８４を内筒７５で軸支することにより、保護蓋８０の全体が、軸８４を中心にして前後に揺動開閉できるようになっている。揺動アーム８２の上部には、保護蓋８０を開放操作するためのレバー８５が突設してあり、このレバー８５を支持筒７８に設けた押圧部８６で押し下げることにより、外筒７６の押し下げ操作に連動して保護蓋８０を開放できる。外筒７６の押し下げ力を開放すると、内筒７５がばね７７で押し出されて待機姿勢に戻り、同時に保護蓋８０を閉じ操作できる。
【０００４】
【特許文献１】
特開２０００−２３８３９９号公報（段落番号００１６、図４）
【０００５】
【発明が解決しようとする課題】
上記の印判によれば、ばね７７に逆らって外筒７６を押し下げ操作するだけで保護蓋８０を一気に開放揺動させて、印字体８７の通過領域を一瞬のうちに開放できる。しかし、保護蓋８０の全体が内筒７５の前面側に配置した軸８４で片持ち状に軸支してあるので、印字体８７より下方に確保すべき、カバーの揺動開閉領域の上下寸法が大きくなるのを避けられず、その分だけ印判の上下寸法が大きくなってしまう。
【０００６】
詳しくは、保護蓋８０が閉じているときのカバー８３の先端は、軸８４の中心を通る垂直線より反時計回転方向へずれた位置、つまり時計の文字盤の４時位置付近にある。そのため、保護蓋８０が閉じ位置から全開放するときの、カバー先端部分の揺動軌跡は下り傾斜する円弧軌跡となり、同軌跡に含まれる縦方向成分Ｈが大きくなるのを避けられず、その分だけ印判の上下寸法が大きくなる。
【０００７】
保護蓋８０を開放した状態においては、保護蓋８０の軸８４の近傍以外の部分、具体的には揺動アーム８２の殆どとカバー８３の全体とが内筒７５の前面に大きく突出するので、開放揺動した揺動アーム８２あるいはカバー８３が他物と接当するおそれがある。つまり、周りに障害物がないスペースを確保しながら捺印しなければない不便がある。カバー８３が揺動アーム８２で片持ち支持してあるので、保護蓋８０を開放操作した状態においてカバー８３に外力が作用すると破損するおそれがあり、保護蓋８０の構造強度に不安が残る。
【０００８】
本発明の目的は、保護蓋の開閉構造を改良することにより印面カバーの揺動軌跡を好適化し、以て、印面カバーの揺動開閉領域の上下寸法を減少し、その分だけ上下寸法が小さなコンパクトな印判を提供することにある。本発明の目的は、開放状態における保護蓋の印判外面への突出量を抑止でき、従って、従来の印判に比べて狭いスペースでも問題なく捺印できる、使用姿勢がコンパクトな印判を提供することにある。本発明の目的は、保護蓋の開閉構造を改良することにより、その構造強度を向上でき、その分だけ耐久性に優れた印判を提供することにある。本発明の目的は、捺印後に保護蓋を強制的に待機位置へ復帰操作でき、従って、不使用状態における印面の保護を確実に行える印判を提供することにある。本発明の目的は、余分な部品を用いる必要もなく、印判構成部品を一定の手順で組み付けるだけで印判を完成でき、全体として組立作業を能率よく行える印判を提供することにある。
【０００９】
【課題を解決するための手段】
本発明の印判は、上下面が開口するベース筒１と、ベース筒１で上下スライド自在に案内支持される外筒２と、外筒２に装着されて、外筒２に同行してベース筒１内を上下スライドする内筒３と、内筒３に内嵌固定される印字ユニット４と、ベース筒１と外筒２との間に介装されて、外筒２を上方の待機位置へ押し上げ付勢するばね５と、印字ユニット４の印面を保護する保護蓋６とを備えている。図６に示すように、保護蓋６は、ベース筒１の周壁左右で前後揺動可能に軸支される左右一対の揺動アーム４１と、両揺動アーム４１の下端どうしを繋ぐ印面カバー４２とで逆Ｔ字状に形成する。保護蓋６は印面の下面を覆い隠す閉じ姿勢と、ベース筒１の前面外方へ揺動変位して、印字ユニット４の下降領域から退避する開放姿勢との間で開閉揺動可能にベース筒１で支持される。図１に示すように、揺動アーム４１の上部に設けた揺動軸４４の中心Ｐ１を、ベース筒１の前後中心Ｐ２の近傍に配置する（請求項１）。
【００１０】
内筒３と揺動軸４４の軸端面との間に、外筒２の昇降動作に連動して保護蓋６を揺動開閉操作する蓋開閉機構を設ける。図１に示すように、蓋開閉機構は、内筒３の周面に設けられる上下に長いリブ状のカム突起３０と、揺動軸４４の軸端面に形成されて、前記カム突起３０で回転操作される受動ピース５５とを含む。以て、内筒３の下降動作に連動して、受動ピース５５がカム突起３０で回動操作されて、保護蓋６を閉じ姿勢から開放姿勢へ開放操作できるようにする（請求項２）。
【００１１】
カム突起３０の下端と対向する内筒３の周面に、受動ピース５５に接当して保護蓋６を強制的に閉じ操作するカム片３１を設ける（請求項３）。
【００１２】
ベース筒１の下部周面の前半部に、保護蓋６の印面カバー４２が出入りするカバー開口１１を形成する。印面カバー４２の周面前半部に蓋壁４３を設ける。保護蓋６を閉じた状態において、カバー開口１１を蓋壁４３で塞ぐ（請求項４）。
【００１３】
【発明の作用効果】
本発明では、保護蓋６を逆Ｔ字状に形成したうえで、揺動アーム４１に設けた揺動軸４４の中心Ｐ１をベース筒１の前後中心Ｐ２の近傍に配置して、保護蓋６を閉じ姿勢と開放姿勢とに開閉揺動できるようにするので、印面カバー４２の先端の揺動軌跡を好適化できる。具体的には、図１に示すように、印面カバー４２の先端の揺動軌跡を、揺動軸４４の中心を通る垂直線の前後で、下り傾斜状の円弧軌跡と上り傾斜状の円弧軌跡とすることができるので、揺動軌跡の全体が下り傾斜状の円弧軌跡で占められていた従来の保護蓋構造に比べて、揺動軌跡全体に含まれる縦方向の成分Ｈを概ね半減でき、その分だけ印判の上下寸法を小さくできる。
【００１４】
左右一対の揺動アーム４１と、両揺動アーム４１の下端どうしを繋ぐ印面カバー４２とで、保護蓋６を逆Ｔ字状に形成し、その揺動軸４４の中心Ｐ１をベース筒１の前後中心Ｐ２の近傍に配置するので、従来のＬ字状の保護蓋に比べて、開放状態における保護蓋６の印判外面への突出量を抑止でき、従って、狭いスペースでも問題なく捺印できる使用姿勢がコンパクトな印判が得られる。逆Ｔ字状に形成した保護蓋６は、図５に示すように、前後方向から見て逆門形となるので、Ｌ字状の保護蓋に比べて、保護蓋５の構造強度を向上でき、その分だけ印判の耐久性を向上できる利点もある（請求項１）。
【００１５】
内筒３の周面に設けたカム突起３０、および揺動軸４４の軸端面に形成した受動ピース５５などで構成した蓋開閉機構によれば、保護蓋６をより迅速に開閉操作できる。受動ピース５５が揺動軸４４の回転中心に近い位置に設けてあるので、受動ピース５５を一定角度回動操作するのに必要な、カム突起３０の下降ストロークが少なくて済み、外筒２の押し下げ速度を一定とする場合の保護蓋６の開放速度を向上できるからである。保護蓋６を全開放するのに必要な、カム突起３０の下降ストロークが少なくて済む分だけ、外筒２の下降ストロークを小さくして、印判の上下寸法を削減できる利点もある（請求項２）。
【００１６】
カム突起３０の下端と対向する内筒３の周面にカム片３１を設けた蓋開閉機構によれば、外筒２が復帰上昇するとき、カム片３１で受動ピース５５を回転操作して、保護蓋６を強制的に閉じ操作できるので、不使用状態における印面の保護を確実に行えるうえ、印判構成部品の寸法のばらつきや誤差の集積などによって、保護蓋６の一部がベース筒１などに引っ掛かるような場合に、保護蓋６を確実に閉じ復帰できる（請求項３）。
【００１７】
ベース筒１に設けたカバー開口１１を、保護蓋６に設けた蓋壁４３で塞ぐようにすると、不使用状態において塵埃などがカバー開口１１から侵入してゴム印字体３６の印面に付着するのを確実に防止できるうえ、不使用状態における印判の外観の印象をシンプルですっきりしたものとすることができる。左右の揺動アーム４１と印面カバー４２とを蓋壁４３で一体に繋いで、保護蓋６の構造強度を向上できる利点もある（請求項４）。
【００１８】
【実施例】
図１ないし図１０は、本発明に係る印判の実施例を示す。図２ないし図５において、印判は、ベース筒１と、ベース筒１で上下スライド自在に案内支持される外筒２と、外筒２に同行してベース筒１内を上下スライドする内筒３と、内筒３に内嵌固定される印字ユニット４と、外筒２を押し上げ付勢する圧縮コイル形のばね５と、印字ユニット４の印面を保護する保護蓋６、および外筒２を下降移動不能にロックするロック体７などで構成する。
【００１９】
ベース筒１は上下面が開口する円筒体からなり、その周壁左右に保護蓋６を支持するための軸受穴１０が通設してある。図１に示すように軸受穴１０の中心Ｐ１は、ベース筒１の前後中心Ｐ２より僅かに前寄りに位置させてある。つまり、後述する揺動軸４４の中心Ｐ１は、ベース筒１の前後中心Ｐ２の近傍に配置してある。筒壁の前面下部には、保護蓋６の印面カバーが出入りするカバー開口１１が形成してあり、筒上端の左右にはばね保持片１２が突設してある（図３参照）。
【００２０】
カバー開口１１は半円溝状に形成してあり、その左右端縁から軸受穴１０の周りにわたって平坦面１３が形成してある。図３に向かって左側のばね受片１２の基端内面には、ロック体７を受け止めるストッパー壁１５が内向きに張り出してある。
【００２１】
外筒２は主外筒１７と、主外筒１７に着脱可能に圧嵌装着されるキャップ１８とで構成する。主外筒１７は上下面が開口する筒体からなり、筒上部にキャップ１８用の装着部１９が突設してある。筒壁の下半部左右には逃げ溝２０が形成され、筒壁の前面に平坦な前印面２１が形成してある。主外筒１７の内面左右には、内筒３を圧嵌装着するための係合壁２２が内向きに張り出してあり、内面前部の左右にクリック機構用の縦長のリブ２３が形成してある（図８参照）。逃げ溝２０より前側の筒壁の上下長さは、逃げ溝２０より後側の筒壁の上下長さに比べて短く形成してある。
【００２２】
キャップ１８は下向きに開口する有底筒体からなり、筒壁の前面に主外筒１７と同様の平坦な前印面２１ａを形成し、その内面に後述するロック体７を回動操作するための一対の操作リブ２４が突設してある（図３参照）。筒壁の後側にはストラップを結びつけるための紐通し部３２が、筒壁の外郭線より内側に凹む状態で形成してある（図６参照）。
【００２３】
内筒３は、その大半を占める主筒壁２５と、主筒壁２５の上部に設けられる主筒壁２５より小径の上筒壁２６とを有し、上筒壁２６の上端左右に係合爪２７が突設してある。主筒壁２５の前面を上筒壁２６の周面に沿って切除することにより、ロック体７の周方向への変位を許す凹部２８が形成してある。主筒壁２５の左右周面に平坦なガイド面２９を形成し、そこにカム突起３０とカム片３１を設けるが、その詳細は後述する。
【００２４】
印字ユニット４は、上下に長い多段状の保持筒３４と、保持筒３４の内部下面に装着されるインク含浸マット３５、およびゴム印字体３６と、保持筒３４の上端開口を塞ぐ筒栓３７などで構成されるユニット部品からなり、それ自体単独で販売することもある。ゴム印字体３６はポーラスゴムで形成してあり、保持筒３４の下端周面に固定した印面金具３８で抜け外れ不能に固定されている。
【００２５】
保護蓋６は、左右一対の揺動アーム４１と、両揺動アーム４１の下端どうしを繋ぐ円形の印面カバー４２とで、側面から見て逆Ｔ字状に形成してあり、印面カバー４２の周面前半部に蓋壁４３が設けてある。蓋壁４３は、先に説明したベース筒１のカバー開口１１を塞ぐために設けてある。両揺動アーム４１の上端内面には、ベース筒１の軸受穴１０で軸支される揺動軸４４が設けてある。
【００２６】
保護蓋６の揺動軸４４をベース筒１の軸受穴１０に嵌め込むことにより、保護蓋６は前後揺動可能に軸支されて、ゴム印字体３６の下面を覆い隠す閉じ姿勢（図４の状態）と、ベース筒１の前面外方へ揺動変位して、印字ユニット４の下降領域から退避する開放姿勢（図６の状態）との間を揺動変位できる。揺動軸４４を軸受穴１０に組み込んだ状態においては、図１０に示すように、揺動軸４４の内面に設けた受動ピース５５が、カム突起３０と対向する。その詳細は後述する。
【００２７】
ロック体７は、平面視がＣ字状のクリップ４７の前部上下に、それぞれ部分円弧壁からなる操作片４８とストッパー爪４９とを突設してなる。クリップ４７を、内筒３の上筒部２６に嵌め込むことにより、ロック体７を内筒３と一体化でき、この組付状態においてストッパー爪４９は凹部２８に臨んでいる。従って、凹部２８の形成範囲でロック体７を回転操作できる。
【００２８】
操作片４８は、キャップ１８の内面に設けた操作リブ２４と係合して、キャップ１８の回転動作を受け継ぐ。キャップ１８を切り換える毎にクリック感を付与するために、操作片４８の外面に縦方向のクリック溝５０を設けている。このクリック溝５０に、主外筒１７の内面に設けたリブ２３が落ち込み係合することにより、クリック感が得られる。
【００２９】
外筒２の昇降動作に連動して保護蓋６を揺動開閉操作するために、内筒３と、内筒３の周面と対向する揺動軸４４の軸端面との間に蓋開閉機構を設けている。図１に示すように蓋開閉機構は、内筒３の外周面に設けられるカム突起３０と、カム突起３０の下方に設けられるカム片３１と、揺動軸４４の軸端面に形成されて、前記カム突起３０およびカム片３１で回転操作される受動ピース５５とで構成する。
【００３０】
カム突起３０は上下に長いリブ状に形成してあり、図７（ａ）に示すように、その下端に、受動ピース５５を回転操作する開き操作面５６が斜めに形成してある。カム片３１は受動ピース５５を回転操作して、保護蓋６を閉じ位置へ復帰させるために設けてあり、逆ヘ字状の閉じ操作面５７と、閉じ限界を規制するストッパー面５８とを備えている。受動ピース５５が回転するときに接当干渉するのを避けるために、カム突起３０とカム片３１とは所定の間隔を隔てて配置してある。
【００３１】
受動ピース５５は、４分円状の基部６１に連続して横臥Ｌ字状の受動片６２を突設して形成する。受動片６２は、揺動軸４４の周縁近傍に設けてあり、その先端の上面には、開き操作面５６で回転操作される第１接当面６３を斜めに形成し、受動片６２の先端の下面には閉じ操作面５７で回転操作される第２接当面６４を突設する。基部６１の上隅には、カム突起３０の直線壁と接当して保護蓋６の開放限界を規定する第３接当面６５が切り欠き形成してある。第１接当面６３と第３接当面６５との間には、三角形状の切欠が形成してあるが、この切欠は受動ピース５５がカム突起３０で開放回動操作されるとき、受動ピース５５とカム突起３０とが接当緩衝するのを避けて、保護蓋６の揺動を円滑化するためである。
【００３２】
保護蓋６が閉じ状態にあるとき、受動ピース５５の受動片６２は、図１に示すようにカム突起３０とカム片３１との間に挟まれて、その下面側がカム片３１で受け止められている。この状態から外筒２を押し下げ操作すると内筒３が同行移動して、図７（ａ）の下段に示すように、カム突起３０の開き操作面５６が受動片６２の第１接当面６３に接当するので、揺動軸４４は回転モーメントを受けて時計回転方向に回転する。カム突起３０は、図７（ａ）の中段に示す過程を経て、第１接当面６３をくぐり抜けるようにして保護蓋６を開放操作する。
【００３３】
保護蓋６が完全に開放揺動した状態では、図７（ａ）の上段に示すように、第３接当面６５がカム突起３０の直線壁で受け止められ、印面カバー４２は印字ユニット４の下降領域から退避揺動して、ベース筒１の前面外方に突出する。この後、印字ユニット４がさらに下降移動して紙面に押し付けられインクを紙面に転写できる。つまり捺印できる。
【００３４】
図６に示すように、開放状態における印面カバー４２はベース筒１の前面外方に突出する。しかし、保護蓋６が逆Ｔ字状に形成してあり、その揺動軸４４の中心がベース筒１の前後中心の近傍に配置してあるので、揺動アーム４１の大半はベース筒１の外面に沿って傾斜している。そのため、従来の印判に比べて、保護蓋６の印判外面への突出を抑止でき、保護蓋６が他物に接当するのをよく防止できる。
【００３５】
外筒２の押し下げ力を開放すると、外筒２、内筒３、および印字ユニット４がばね５で押し上げられて上昇する。ゴム印字体３６の印面がカバー開口１１を通過し終わるまで、保護蓋６は全開放姿勢に維持されている。内筒３がさらに上昇すると、図７（ｂ）の上段に示すように、カム片３１の閉じ操作面５７が受動片６２の第２接当面６４に接当して、揺動軸４４を反時計回転方向へ回転操作する。
【００３６】
そのため、受動片６２の第２接当面６４は、図７（ｂ）の中段に示す過程を経ながら、さらに反時計回転方向へ回転操作されて、受動片６２の下面がカム片３１のストッパー面５８で受け止められ、保護蓋６の全体が閉じ状態に復帰する。保護蓋６の一部がベース筒１などに引っ掛かっているような場合にも、保護蓋６を強制的に閉じ復帰できる。閉じ状態においては、保護蓋６の蓋壁４３でカバー開口１１を閉止できるので、不使用状態における印判の外観の印象をシンプルなものとすることができる。
【００３７】
保護蓋６が開閉するときの軌跡を図１に示す。先に説明したように、保護蓋６は、ベース筒１の前後中心Ｐ２の近傍に配置した揺動軸４４まわりに揺動開閉する。このときの印面カバー４２の先端軌跡は、揺動軸４４の中心を通る垂直線の前後で、斜め下向きの円弧から、斜め上向きの円弧へと変化する。そのため、印面カバー４２の先端軌跡に含まれる縦方向の成分は、図１に符号Ｈで示す値となる。つまり、印面カバー４２の先端軌跡のほぼ全部が、斜め下向きの円弧で構成されていた従来の印判に比べて、縦方向の成分Ｈの値を概ね半分にすることができ、その分だけ印判の上下寸法を小さくできることとなる。
【００３８】
印判を構成する各部品は、次の手順で組み立てる。まずロック体７を先に説明した要領で内筒３に組む。次に、内筒３をベース筒１に下面側から差し込み、さらに保護蓋６の揺動軸４４をベース筒１の軸受穴１０に組み付けて、内筒３とベース筒１とを仮組みする。
【００３９】
ベース筒１のばね保持片１２の間にばね５を組み、両者１・５を外筒２に下面側から差し込むことにより、図５に示すように内筒３の左右の係合爪２７を外筒２の係合壁２２に係合させて、内筒３を外筒２と一体化する。その後、キャップ１８を外筒２に圧嵌装着する。最後に、印字ユニット４を内筒３に下面側から差し込んで圧嵌固定することにより印判を完成できる。内筒３と印字ユニット４との圧嵌係合部を図５に符号５３で示す。このように、各構成部品を所定の手順に従って圧嵌係合するだけで、印判を組み上げることができる。
【００４０】
図８に示すように、キャップ１８の内面に設けた操作リブ２４は、ロック体７の操作片４８を挟み係合している。アンロック状態におけるクリック溝５０は、外筒２の片方のリブ２３と係合しており、ストッパー爪４９は図９に実線で示すようにベース筒１の筒壁内面に臨んでいる。このアンロック状態でのみ捺印できる。図８（ｂ）に示すように、アンロック状態からキャップ１８を時計回転方向へ回転操作することにより、ストッパー爪４９を内筒３の周面に沿って図９に想像線で示す位置まで変位させると、ロック状態に切り換えることができる。ロック状態においては、外筒２を押し下げ操作しても、ストッパー爪４９の下端面がベース筒１のストッパー壁１５で受け止められるので、外筒２は下降できない。
【００４１】
上記の実施例以外に、揺動軸４４の中心Ｐ１はベース筒１の前後中心Ｐ２と一致させることができる。
【図面の簡単な説明】
【図１】保護蓋の開閉構造および開閉軌跡とその縦方向成分との関係を示す縦断側面図
【図２】印判の斜視図
【図３】印判構成部品の分解斜視図
【図４】印判全体の縦断側面図
【図５】印判全体の縦断正面図
【図６】印判の捺印状態を示す縦断側面図
【図７】保護蓋の開閉動作を示す動作説明図
【図８】ロック体のロック動作を示す動作説明図
【図９】ストッパー爪とベース筒の関係構造を示す横断平面図
【図１０】揺動軸とカム突起との関係構造を示す横断平面図
【図１１】従来の印判の縦断側面図
【符号の説明】
１  ベース筒
２  外筒
３  内筒
４  印字ユニット
５  ばね
６  保護蓋
７  ロック体
１１カバー開口
３０  カム突起
３１  カム片
４１  揺動アーム
４２  印面カバー
４３  蓋壁
４４  揺動軸
５５  受動ピース
【図１】
2005007754.tif 000003
【図２】
2005007754.tif 000004
【図３】
2005007754.tif 000005
【図４】
2005007754.tif 000006
【図５】
2005007754.tif 000007
【図６】
2005007754.tif 000008
【図７】
2005007754.tif 000009
【図８】
2005007754.tif 000010
【図９】
2005007754.tif 000011
【図１０】
2005007754.tif 000012
【図１１】
2005007754.tif 000013